(57)【特許請求の範囲】
【請求項１】
被画像形成媒体にカラー画像を形成するカラー印刷モード及び被画像形成媒体に黒色画像を形成する黒色印刷モードに遷移可能な画像形成装置であって、
それぞれの表面に静電潜像が形成される複数の像担持体と、
カラートナーを収容すると共に、対応する像担持体の表面に形成された静電潜像にカラーのトナー画像を現像する１以上のカラーの現像器と、
黒色トナーを収容すると共に、対応する像担持体の表面に形成された静電潜像に黒色トナー画像を現像する黒色の現像器と、
前記１以上のカラーの現像器及び前記黒色の現像器それぞれを駆動させるための回転駆動力を出力する回転駆動部と、
前記回転駆動部から出力される回転駆動力が１以上の前記カラーの現像器それぞれに伝達される伝達経路に配置され、前記回転駆動部から出力される回転駆動力を前記１以上のカラーの現像器に伝達させる伝達位置と、前記回転駆動部から出力される回転駆動力を前記１以上のカラーの現像器に伝達させない非伝達位置とに移動可能に構成される切替部と、
所定の駆動力を出力する切替駆動部であって、前記切替部を前記伝達位置と前記非伝達位置とに移動させる切替駆動部と、
前記カラー印刷モードが選択されている場合には前記切替部を前記伝達位置に位置させ、前記黒色印刷モードが選択されている場合には前記切替部を前記非伝達位置に位置させるよう前記切替駆動部を制御する切替駆動制御部と、
エンドレスベルト状の中間転写ベルトであって、前記中間転写ベルトの外表面が前記複数の像担持体に対向するように配置され、前記複数の像担持体それぞれの表面に形成されたトナー画像が前記外表面に転写される中間転写ベルトと、
前記中間転写ベルトの前記外表面と対向して配置され、前記中間転写ベルトの前記外表面に転写されたトナー画像を検知するトナー検知部と、
遮蔽部を有し、前記遮蔽部が前記トナー検知部と前記中間転写ベルトにおける前記外表面との間に配置され前記外表面に形成されたトナー画像の検知を規制するよう遮蔽する遮蔽位置と、前記遮蔽部が前記トナー検知部と前記中間転写ベルトにおける前記外表面との間に配置されず前記外表面に形成されたトナー画像の検知を規制しない非遮蔽位置とに移動可能なシャッター部と、
前記切替駆動部から出力される駆動力を前記シャッター部に伝達させるシャッター駆動機構部であって、前記切替部が前記伝達位置に位置する場合に前記シャッター部を前記非遮蔽位置に位置させると共に、前記切替部が前記非伝達位置に位置する場合に前記シャッター部を前記遮蔽位置に位置させるシャッター駆動機構部と、
前記トナー検知部による検知結果に基づいて、前記カラー印刷モード又は前記黒色印刷モードのいずれが設定されているかを検知するモード検知部と、を備える画像形成装置。
【請求項２】
所定の閾値に関する閾値情報を記憶する閾値記憶部と、を備え、
前記トナー検知部は、検知結果として所定の検知値を出力し、
前記モード検知部は、前記トナー検知部により出力された検知値と、前記閾値記憶部に記憶された閾値情報により特定される閾値とを比較すると共に、
前記検知値が前記閾値以上である場合には、印刷モードが前記カラー印刷モード又は前記黒色印刷モードのうち一方であることを検知し、
前記検知値が前記閾値未満である場合には、印刷モードが前記カラー印刷モード又は前記黒色印刷モードのうち他方であることを検知する、請求項１に記載の画像形成装置。
【請求項３】
印刷モードを設定する印刷モード設定部と、
前記印刷モード設定部により設定された印刷モードと、前記モード検知部により検知された印刷モードとが一致するか否かを判断する印刷モード一致判定部と、
前記印刷モード一致判定部により、前記印刷モード設定部により設定された印刷モードと、前記モード検知部により検知された印刷モードとが一致しないと判定された場合、所定の報知を行う報知部と、を備える、請求項１又は２に記載の画像形成装置。
【請求項４】
前記シャッター部に連結された検知面清掃部であって、前記遮蔽部が前記遮蔽位置に位置するときは、前記トナー検知部における前記外表面に対向する検知面に当接し、かつ、前記遮蔽部が前記非遮蔽位置に位置するときは、前記検知面には当接しない検知面清掃部を備える、請求項１から３のいずれかに記載の画像形成装置。
【請求項５】
前記シャッター部は、前記遮蔽部が前記遮蔽位置と前記非遮蔽位置とに直線的に往復移動するよう前記シャッター駆動機構部により駆動され、
前記検知面清掃部は、前記検知面に摺接される、請求項４に記載の画像形成装置。
【請求項６】
被画像形成媒体にカラー画像を形成するカラー印刷モード及び被画像形成媒体に黒色画像を形成する黒色印刷モードに遷移可能な画像形成装置であって、
それぞれの表面に静電潜像が形成される複数の像担持体と、
カラートナーを収容すると共に、対応する像担持体の表面に形成された静電潜像にカラーのトナー画像を現像する１以上のカラーの現像器と、
黒色トナーを収容すると共に、対応する像担持体の表面に形成された静電潜像に黒色トナー画像を現像する黒色の現像器と、
前記黒色の現像器及び前記１以上のカラーの現像器それぞれを駆動させるための回転駆動力を出力する回転駆動部と、
前記回転駆動部から出力される回転駆動力が１以上の前記カラーの現像器それぞれに伝達される伝達経路に配置され、前記回転駆動部から出力される回転駆動力を前記１以上のカラーの現像器に伝達させる伝達位置と、前記回転駆動部から出力される回転駆動力を前記１以上のカラーの現像器に伝達させない非伝達位置とに移動可能に構成される切替部と、
所定の駆動力を出力する切替駆動部であって、前記切替部を前記伝達位置と前記非伝達位置とに移動させる切替駆動部と、
被画像形成媒体の外表面にカラー画像を形成させるカラー印刷モードが選択されている場合には前記切替部を前記伝達位置に位置させ、被画像形成媒体の外表面に白黒画像を形成させる黒色印刷モードが選択されている場合には前記切替部を前記非伝達位置に位置させるよう前記切替駆動部を制御する切替駆動制御部と、
前記複数の像担持体それぞれの表面に形成されたトナー画像を被画像形成媒体の外表面に転写させる転写部と、
前記被画像形成媒体の外表面と対向して配置され、被画像形成媒体の外表面に転写されたトナー画像を検知するトナー検知部と、
遮蔽部を有し、前記遮蔽部が前記トナー検知部と被画像形成媒体における外表面との間に配置され被画像形成媒体の外表面に形成されたトナー画像の検知を規制するよう遮蔽する遮蔽位置と、前記遮蔽部が前記トナー検知部と被画像形成媒体における外表面との間に配置されず被画像形成媒体の外表面に形成されたトナー画像の検知を規制しない非遮蔽位置とに移動可能なシャッター部と、
前記切替駆動部から出力される駆動力を前記シャッター部に伝達させるシャッター駆動機構部であって、前記切替部が前記伝達位置に位置する場合に前記シャッター部を前記非遮蔽位置に位置させると共に、前記切替部が前記非伝達位置に位置する場合に前記シャッター部を前記遮蔽位置に位置させるシャッター駆動機構部と、
前記トナー検知部による検知結果に基づいて、前記カラー印刷モード又は前記黒色印刷モードのいずれが設定されているかを検知するモード検知部と、を備える画像形成装置。
【発明の詳細な説明】
【技術分野】
【０００１】
本発明は、画像形成装置に関する。
【背景技術】
【０００２】
従来、コピー機、プリンタ、ファクシミリなどの画像形成装置は、一般的に、像担持体（感光体ドラム）と、像担持体の表面に形成された静電潜像にトナー画像を現像する現像器と、像担持体に形成されたトナー画像を被画像形成媒体に中間転写ベルトを介して転写する転写部と、被画像形成媒体に転写されたトナー画像を被画像形成媒体に定着させる定着部と、を備える。
そして、カラー画像を形成可能なカラー画像形成装置は、黒色トナーを収容して黒色トナー画像を現像する現像器と、カラートナーを収容してカラートナー画像を現像する現像器とを有する。
ここで、カラー画像形成装置において、カラー画像を形成可能なカラー印刷モードと、黒色画像（モノクロ画像）のみが形成可能な黒色（モノクロ）印刷モードと遷移（設定）可能なカラー画像形成装置が存在する。
【０００３】
このようなカラー画像形成装置として、例えば、所定の現像ユニット（現像器）を中間転写ベルトに圧接させた圧接状態と、中間転写ベルトから離間した離間状態とに状態変化（移動）させることで、全ての現像ユニットが圧接状態にあるカラー圧接状態（カラー印刷モード）と、モノクロの現像ユニットだけが圧接状態にあるモノクロ圧接状態（黒色印刷モード）とに切替可能なカラー画像形成装置が提案されている（例えば、特許文献１参照）。
ここで、該カラー画像形成装置は、直動カムを構成する直動部材の位置を離間センサ（検知部材）により検知することで、各現像ユニットの位置を把握する。言い換えると、該カラー画像形成装置は、直動部材の位置を離間センサにより検出することで、状態が、カラー圧接状態か、モノクロ圧接状態かを把握する。
【先行技術文献】
【特許文献】
【０００４】
【特許文献１】特開２００８−５８６２９号公報
【発明の概要】
【発明が解決しようとする課題】
【０００５】
しかし、特許文献１に記載の画像形成装置では、状態が、カラー圧接状態（カラー印刷モード）か、モノクロ圧接状態（黒色印刷モード）かを把握するには、直動部材の位置を検知する離間センサが必要である。
つまり、特許文献１に記載の画像形成装置では、新たに専用の検知部材である離間センサを配置する必要があるので、コスト増の問題や、スペース上の問題や、ソフト面における複雑化などの問題が生じる場合があった。
【０００６】
本発明は、専用の検知部材を配置することなく、印刷モードを判断可能な画像形成装置を提供することを目的とする。
【課題を解決するための手段】
【０００７】
本発明は、被画像形成媒体にカラー画像を形成するカラー印刷モード及び被画像形成媒体に黒色画像を形成する黒色印刷モードに遷移可能な画像形成装置であって、それぞれの表面に静電潜像が形成される複数の像担持体と、カラートナーを収容すると共に、対応する像担持体の表面に形成された静電潜像にカラーのトナー画像を現像する１以上のカラーの現像器と、黒色トナーを収容すると共に、対応する像担持体の表面に形成された静電潜像に黒色トナー画像を現像する黒色の現像器と、前記１以上のカラーの現像器及び前記黒色の現像器それぞれを駆動させるための回転駆動力を出力する回転駆動部と、前記回転駆動部から出力される回転駆動力が１以上の前記カラーの現像器それぞれに伝達される伝達経路に配置され、前記回転駆動部から出力される回転駆動力を前記１以上のカラーの現像器に伝達させる伝達位置と、前記回転駆動部から出力される回転駆動力を前記１以上のカラーの現像器に伝達させない非伝達位置とに移動可能に構成される切替部と、所定の駆動力を出力する切替駆動部であって、前記切替部を前記伝達位置と前記非伝達位置とに移動させる切替駆動部と、前記カラー印刷モードが選択されている場合には前記切替部を前記伝達位置に位置させ、前記黒色印刷モードが選択されている場合には前記切替部を前記非伝達位置に位置させるよう前記切替駆動部を制御する切替駆動制御部と、エンドレスベルト状の中間転写ベルトであって、前記中間転写ベルトの外表面が前記複数の像担持体に対向するように配置され、前記複数の像担持体それぞれの表面に形成されたトナー画像が前記外表面に転写される中間転写ベルトと、前記中間転写ベルトの前記外表面と対向して配置され、前記中間転写ベルトの前記外表面に転写されたトナー画像を検知するトナー検知部と、遮蔽部を有し、前記遮蔽部が前記トナー検知部と前記中間転写ベルトにおける前記外表面との間に配置され前記外表面に形成されたトナー画像の検知を規制するよう遮蔽する遮蔽位置と、前記遮蔽部が前記トナー検知部と前記中間転写ベルトにおける前記外表面との間に配置されず前記外表面に形成されたトナー画像の検知を規制しない非遮蔽位置とに移動可能なシャッター部と、前記切替駆動部から出力される駆動力を前記シャッター部に伝達させるシャッター駆動機構部であって、前記切替部が前記伝達位置に位置する場合に前記シャッター部を前記非遮蔽位置に位置させると共に、前記切替部が前記非伝達位置に位置する場合に前記シャッター部を前記遮蔽位置に位置させるシャッター駆動機構部と、前記トナー検知部による検知結果に基づいて、前記カラー印刷モード又は前記黒色印刷モードのいずれが設定されているかを検知するモード検知部と、を備える画像形成装置に関する。
【０００８】
本発明は、所定の閾値に関する閾値情報を記憶する閾値記憶部と、を備え、前記トナー検知部は、検知結果として所定の検知値を出力し、前記モード検知部は、前記トナー検知部により出力された検知値と、前記閾値記憶部に記憶された閾値情報により特定される閾値とを比較すると共に、前記検知値が前記閾値以上である場合には、印刷モードが前記カラー印刷モード又は前記黒色印刷モードのうち一方であることを検知し、前記検知値が前記閾値未満である場合には、印刷モードが前記カラー印刷モード又は前記黒色印刷モードのうち他方であることを検知することが好ましい。
【０００９】
本発明は、印刷モードを設定する印刷モード設定部と、前記印刷モード設定部により設定された印刷モードと、前記モード検知部により検知された印刷モードとが一致するか否かを判断する印刷モード一致判定部と、前記印刷モード一致判定部により、前記印刷モード設定部により設定された印刷モードと、前記モード検知部により検知された印刷モードとが一致しないと判定された場合、所定の報知を行う報知部と、を備えることが好ましい。
【００１０】
本発明は、前記シャッター部に連結された検知面清掃部であって、前記遮蔽部が前記遮蔽位置に位置するときは、前記トナー検知部における前記外表面に対向する検知面に当接し、かつ、前記遮蔽部が前記非遮蔽位置に位置するときは、前記検知面には当接しない検知面清掃部を備えることが好ましい。
【００１１】
本発明は、前記シャッター部は、前記遮蔽部が前記遮蔽位置と前記非遮蔽位置とに直線的に往復移動するよう前記シャッター駆動機構部により駆動され、前記検知面清掃部は、前記検知面に摺接されることが好ましい。
【００１２】
また、本発明は、被画像形成媒体にカラー画像を形成するカラー印刷モード及び被画像形成媒体に黒色画像を形成する黒色印刷モードに遷移可能な画像形成装置であって、それぞれの表面に静電潜像が形成される複数の像担持体と、カラートナーを収容すると共に、対応する像担持体の表面に形成された静電潜像にカラーのトナー画像を現像する１以上のカラーの現像器と、黒色トナーを収容すると共に、対応する像担持体の表面に形成された静電潜像に黒色トナー画像を現像する黒色の現像器と、前記黒色の現像器及び前記１以上のカラーの現像器それぞれを駆動させるための回転駆動力を出力する回転駆動部と、前記回転駆動部から出力される回転駆動力が１以上の前記カラーの現像器それぞれに伝達される伝達経路に配置され、前記回転駆動部から出力される回転駆動力を前記１以上のカラーの現像器に伝達させる伝達位置と、前記回転駆動部から出力される回転駆動力を前記１以上のカラーの現像器に伝達させない非伝達位置とに移動可能に構成される切替部と、所定の駆動力を出力する切替駆動部であって、前記切替部を前記伝達位置と前記非伝達位置とに移動させる切替駆動部と、被画像形成媒体の外表面にカラー画像を形成させるカラー印刷モードが選択されている場合には前記切替部を前記伝達位置に位置させ、被画像形成媒体の外表面に白黒画像を形成させる黒色印刷モードが選択されている場合には前記切替部を前記非伝達位置に位置させるよう前記切替駆動部を制御する切替駆動制御部と、前記複数の像担持体それぞれの表面に形成されたトナー画像を被画像形成媒体の外表面に転写させる転写部と、前記被画像形成媒体の外表面と対向して配置され、被画像形成媒体の外表面に転写されたトナー画像を検知するトナー検知部と、遮蔽部を有し、前記遮蔽部が前記トナー検知部と被画像形成媒体における外表面との間に配置され被画像形成媒体の外表面に形成されたトナー画像の検知を規制するよう遮蔽する遮蔽位置と、前記遮蔽部が前記トナー検知部と被画像形成媒体における外表面との間に配置されず被画像形成媒体の外表面に形成されたトナー画像の検知を規制しない非遮蔽位置とに移動可能なシャッター部と、前記切替駆動部から出力される駆動力を前記シャッター部に伝達させるシャッター駆動機構部であって、前記切替部が前記伝達位置に位置する場合に前記シャッター部を前記非遮蔽位置に位置させると共に、前記切替部が前記非伝達位置に位置する場合に前記シャッター部を前記遮蔽位置に位置させるシャッター駆動機構部と、前記トナー検知部による検知結果に基づいて、前記カラー印刷モード又は前記黒色印刷モードのいずれが設定されているかを検知するモード検知部と、を備える画像形成装置に関する。
【発明の効果】
【００１３】
本発明によれば、専用の検知部材を配置することなく、印刷モードを判断可能な画像形成装置を提供することができる。
【図面の簡単な説明】
【００１４】
【図１】本発明の画像形成装置としてのカラーコピー機１における各構成要素の配置を説明するための正面図である。
【図２】本発明に係るトナー画像測定装置４００の概略を示す斜視図である。
【図３】図２に示すトナー画像測定装置４００のブロック線図である。
【図４】図２に示すトナー画像測定装置４００の起動時の動作を説明するフローチャートである。
【図５】図２に示すトナー画像測定装置４００の印刷時の動作を説明するフローチャートである。
【図６】図５に続くトナー画像測定装置４００の印刷時の動作を説明するフローチャートである。
【発明を実施するための形態】
【００１５】
以下、図面を参照して本発明を実施するための形態を説明する。
まず、図１により、実施形態における画像形成装置としてのカラーコピー機１における全体構造を説明する。図１は、カラーコピー機１における各構成要素の配置を説明するための左側面図である。本実施形態において、後述する手差しトレイ６５が配置された側（図１における右側）をカラーコピー機１の前側とする。
【００１６】
画像形成装置としてのカラーコピー機１は、該カラーコピー機１における上方側に配置される画像読取装置３００と、下方側に配置され画像読取装置３００からの画像情報に基づいて用紙Ｔ（被画像形成媒体）にトナー画像を形成する装置本体Ｍと、を備える。
カラーコピー機１は、用紙（被画像形成媒体）Ｔにカラー画像を形成するカラー印刷モード及び用紙Ｔに黒色画像を形成する黒色印刷モードに遷移可能に構成されている。
【００１７】
画像読取装置３００は、所定の原稿Ｇを送り出す原稿送り部７０と、原稿Ｇの画像を読み込む読取部３０１と、不図示の画像色判断部と、を備える。原稿送り部７０は、読取部３０１に対して不図示の連結部により開閉可能に連結される。原稿送り部７０は、読取面３０２Ａを保護する機能も有する。画像色判断部は、ＣＣＤが原稿Ｇの画像を全部読み取ったのちに、ＣＣＤにより読み取られた画像がカラー画像であるか、白黒画像であるかを判断する。
【００１８】
画像読取装置３００は、原稿Ｇの表面に形成された画像を不図示のＣＣＤにより読み取る。画像読取装置３００は、ＣＣＤにより読み取られた画像が画像色判断部（不図示）によってカラー画像であると判断した場合、カラー画像を示す画像信号Ｓ３００を後述する印刷モード設定部６０４に出力する。画像読取装置３００は、ＣＣＤにより読み取られた画像が画像色判断部によって白黒画像であると判断した場合、白黒画像を示す画像信号Ｓ３００を印刷モード設定部６０４に出力する。
【００１９】
原稿送り部７０が閉状態の場合、原稿Ｇは、原稿送り部７０における上面に形成される原稿載置部７１に載置される。原稿載置部７１に載置された原稿Ｇは、不図示の送りローラにより読取部３０１における読取面３０２Ａを構成する第１読取面３０３Ａに移動される。この場合、照明ユニット及びミラーユニット（不図示）は、第１位置３０３に固定される。そして、原稿Ｇが第１読取面３０３Ａをスライドするように移動されることで、読取手段としてのＣＣＤ（不図示）により、原稿Ｇの表面に形成された画像が読み取られる。
【００２０】
原稿送り部７０が開状態の場合、原稿Ｇは、読取面３０２Ａを構成する第２読取面３０４Ａに載置される。この場合、照明ユニット及びミラーユニットは、第２位置３０４に配置されると共に、第２位置３０４において副走査方向Ｘにそれぞれ移動する。照明ユニット及びミラーユニットは、光路の長さ（光路長）を一定に保持しながら移動される。これにより、第２読取面３０４Ａに載置された原稿Ｇの画像が読みとられる。
【００２１】
装置本体Ｍは、印刷モード選択部６００と、像担持体としての感光体ドラム２ａ、２ｂ、２ｃ、２ｄと、帯電部１０ａ、１０ｂ、１０ｃ、１０ｄと、レーザスキャナユニット４ａ、４ｂ、４ｃ、４ｄと、現像器１６ａ、１６ｂ、１６ｃ、１６ｄと、トナーカートリッジ５ａ、５ｂ、５ｃ、５ｄと、トナー供給装置６ａ、６ｂ、６ｃ、６ｄと、回転駆動部４１０（図３参照）と、中間転写ベルト７と、１次転写ローラ３７ａ、３７ｂ、３７ｃ、３７ｄと、２次転写ローラ８を含む中間転写ユニット２００と、定着装置９と、トナー画像測定装置４００と、を備える。また、装置本体Ｍは、該装置本体Ｍの下方側に引き出し可能に配置され用紙Ｔが積層された状態で収納される給紙カセット５２を備える。また、装置本体Ｍは、給紙カセット５２から送り出された用紙Ｔが搬送される搬送路５４を備える。
印刷モード選択部６００及びトナー画像測定装置４００は、後に詳細に説明する。
【００２２】
本実施形態において、感光体ドラム２ａ、２ｂ、２ｃ、２ｄと、帯電部１０ａ、１０ｂ、１０ｃ、１０ｄと、レーザスキャナユニット４ａ、４ｂ、４ｃ、４ｄと、現像器１６ａ、１６ｂ、１６ｃ、１６ｄと、トナーカートリッジ５ａ、５ｂ、５ｃ、５ｄと、トナー供給装置６ａ、６ｂ、６ｃ、６ｄと、中間転写ベルト７と、１次転写ローラ３７ａ、３７ｂ、３７ｃ、３７ｄと、２次転写ローラ８を含む中間転写ユニット２００と、定着装置９とは、画像形成部ＧＫを構成する。
【００２３】
感光体ドラム２ａ、２ｂ、２ｃ、２ｄは、円筒形状の部材である。感光体ドラム２ａ、２ｂ、２ｃ、２ｄそれぞれは、図１に対して垂直な回転軸を中心に矢印の方向に回転可能に配置される。感光体ドラム２ａ、２ｂ、２ｃ、２ｄそれぞれにおける表面には、静電潜像が形成される。
【００２４】
帯電部１０ａ、１０ｂ、１０ｃ、１０ｄは、感光体ドラム２ａ、２ｂ、２ｃ、２ｄそれぞれの垂直方向Ｚにおける上方に配置される。帯電部１０ａ、１０ｂ、１０ｃ、１０ｄは、感光体ドラム２ａ、２ｂ、２ｃ、２ｄそれぞれの表面を一様に正（プラス極性）帯電させる。
【００２５】
レーザスキャナユニット４ａ、４ｂ、４ｃ、４ｄは、感光体ドラム２ａ、２ｂ、２ｃ、２ｄそれぞれの垂直方向Ｚにおける上方に感光体ドラム２ａ、２ｂ、２ｃ、２ｄそれぞれから離間して配置される。レーザスキャナユニット４ａ、４ｂ、４ｃ、４ｄそれぞれは、不図示のレーザ光源、ポリゴンミラー、ポリゴンミラー駆動用モータなどを有して構成される。
【００２６】
レーザスキャナユニット４ａ、４ｂ、４ｃ、４ｄそれぞれは、読取部３０１により読み込まれた画像に関する画像情報に基づいて感光体ドラム２ａ、２ｂ、２ｃ、２ｄの表面を走査露光する。レーザスキャナユニット４ａ、４ｂ、４ｃ、４ｄそれぞれにより走査露光されることで、感光体ドラム２ａ、２ｂ、２ｃ、２ｄそれぞれの表面に帯電した電荷が除去される。これにより、感光体ドラム２ａ、２ｂ、２ｃ、２ｄそれぞれの表面に静電潜像が形成される。
【００２７】
現像器１６ａ、１６ｂ、１６ｃ、１６ｄそれぞれは、感光体ドラム２ａ、２ｂ、２ｃ、２ｄの側方（図１において左側）に配置される。現像器１６ａ、１６ｂ、１６ｃ、１６ｄそれぞれは、感光体ドラム２ａ、２ｂ、２ｃ、２ｄに形成された静電潜像に各色のトナー画像を現像する。現像器１６ａ、１６ｂ、１６ｃ、１６ｄそれぞれは、イエロー、シアン、マゼンタ、ブラックの４つのトナー色に対応する。現像器１６ａ、１６ｂ、１６ｃ、１６ｄそれぞれは、感光体ドラム２ａ、２ｂ、２ｃ、２ｄに対向配置可能な現像ローラ１１６ａ、１１６ｂ、１１６ｃ、１１６ｄとトナー攪拌用の攪拌ローラとを有して構成される。
【００２８】
トナーカートリッジ５ａ、５ｂ、５ｃ、５ｄそれぞれは、現像器１６ａ、１６ｂ、１６ｃ、１６ｄそれぞれに対して供給される各色のトナーを収容する。トナーカートリッジ５ａ、５ｂ、５ｃ、５ｄそれぞれは、イエローのトナー、シアンのトナー、マゼンタのトナー、ブラックのトナーを収容する。
【００２９】
トナー供給装置６ａ、６ｂ、６ｃ、６ｄそれぞれは、トナーカートリッジ５ａ、５ｂ、５ｃ、５ｄそれぞれに収容された各色のトナーを、現像器１６ａ、１６ｂ、１６ｃ、１６ｄそれぞれに対して供給する。
【００３０】
中間転写ベルト７には、感光体ドラム２ａ、２ｂ、２ｃ、２ｄに現像された各色のトナー画像が順次転写される。中間転写ベルト７は、駆動ローラ３５とテンションローラ３６との間に掛け渡されて配置される。テンションローラ３６がバネ３８によって駆動ローラ３５から離れる側に付勢されているので、中間転写ベルト７には、所定の張力が与えられる。
【００３１】
中間転写ベルト７における感光体ドラム２ａ、２ｂ、２ｃ、２ｄと反対の側には、１次転写ローラ３７ａ、３７ｂ、３７ｃ、３７ｄそれぞれが対向して配置される。
【００３２】
１次転写ローラ３７ａ、３７ｂ、３７ｃ、３７ｄそれぞれと、感光体ドラム２ａ、２ｂ、２ｃ、２ｄそれぞれとにより、中間転写ベルト７における所定部分が挟み込まれる。この挟み込まれた所定部分は、感光体ドラム２ａ、２ｂ、２ｃ、２ｄそれぞれにおける表面に押し当てられる。このようにして１次転写ニップＮ１ａ、Ｎ１ｂ、Ｎ１ｃ、Ｎ１ｄが形成され、感光体ドラム２ａ、２ｂ、２ｃ、２ｄそれぞれに現像された各色トナー画像が中間転写ベルト７に順次転写される。これにより、中間転写ベルト７には、カラー又は黒色のトナー画像が形成される。
【００３３】
１次転写ローラ３７ａ、３７ｂ、３７ｃ、３７ｄそれぞれには、不図示の電圧印加手段により、感光体ドラム２ａ、２ｂ、２ｃ、２ｄそれぞれに現像された各色トナー画像を中間転写ベルト７に転写させるための１次転写バイアスが印加される。
【００３４】
装置本体Ｍにおける中間転写ベルト７の下側には、後述するように、中間転写ベルト７に転写されたトナー画像の濃度を測定するトナー画像測定装置４００が配置されている。
【００３５】
２次転写ローラ８は、中間転写ベルト７に１次転写されたトナー画像を用紙Ｔに２次転写させる。２次転写ローラ８には、不図示の電圧印加手段により、中間転写ベルト７のトナー画像を用紙Ｔに転写させるための２次転写バイアスが印加される。
【００３６】
２次転写ローラ８は、中間転写ベルト７に対して接離される。具体的には、２次転写ローラ８は、中間転写ベルト７に当接される当接位置と中間転写ベルト７から離間する離間位置とに移動可能に構成される。詳細には、２次転写ローラ８は、中間転写ベルト７の表面に１次転写されたトナー画像を用紙Ｔに２次転写させる場合には当接位置に移動され、他の場合には離間位置に移動される。ここで、２次転写ローラ８における接離動作は中間転写ユニット２００全体が回動移動されることによりなされる。
【００３７】
２次転写ローラ８は、中間転写ユニット２００に含まれる。中間転写ユニット２００は、２次転写ローラ８を収容すると共に該２次転写ローラ８を回転可能に軸支するハウジング２０１と、ハウジング２０１の側面に配置される回転駆動ギア２１０と、２次転写ローラ８の回転軸方向であってハウジング２０１の側面に配置されるローラ側ギア２３０と、回転駆動ギア２１０とローラ側ギア２３０とに当接して配置されるアイドルギア２２０とを備える。中間転写ユニット２００は、不図示の接離手段により、不図示の回転軸を中心として２次転写ローラ８が中間転写ベルト７に当接可能な位置と、中間転写ベルト７に当接しない位置とに回動移動される。
【００３８】
中間転写ベルト７における２次転写ローラ８に対向する側には、対抗ローラ１０８が配置される。中間転写ベルト７における所定部分は、２次転写ローラ８と対抗ローラ１０８とによって挟み込まれる。そして、用紙Ｔは中間転写ベルト７の表面（画像が１次転写された側）に押し当てられる。このようにして２次転写ニップＮ２が形成され、中間転写ベルト７に１次転写されたトナー画像が用紙Ｔに２次転写される。
【００３９】
定着装置９は、用紙Ｔに２次転写されたトナー画像を構成する各色トナーを溶融させて用紙Ｔに定着させる。定着装置９は、ヒータにより加熱される加熱ローラ９ａと、加熱ローラ９ａに圧接される加圧ローラ９ｂと、を備える。加熱ローラ９ａと加圧ローラ９ｂとは、トナー画像が２次転写された用紙Ｔを挟持するようにして搬送する。加熱ローラ９ａと加圧ローラ９ｂとの間に挟持されるように搬送されることで、用紙Ｔに転写されたトナーは、溶融されて用紙Ｔに定着される。
【００４０】
２次転写ローラ８とテンションローラ３６との間には、中間転写ベルト７を清掃するためのベルトクリーニング装置４０が配置される。ベルトクリーニング装置４０は、中間転写ベルト７の表面に摺接されるクリーニングブラシ４１と、クリーニングブラシ４１と接触するように配置されたクリーニングローラ４２と、先端がクリーニングローラ４２の表面に接触するように配置されるブレード４３と、ブレード４３の下方に配置された回収スパイラル４４と、を備える。
【００４１】
装置本体Ｍにおける下方側には、用紙Ｔを収容する給紙カセット５２が水平方向に引き出し可能に配置される。給紙カセット５２には、用紙Ｔが積層された状態で収容される。給紙カセット５２には、用紙Ｔが載置される載置板６０が配置される。載置板に載置された用紙Ｔは、給紙カセット５２の用紙送り出し側端部（図１における右側端部）に配置されるカセット給紙部５１により搬送路５４に送り出される。カセット給紙部５１は、載置板６０上の用紙Ｔを取り出すための前送りコロ６１と、用紙Ｔを１枚ずつ搬送路５４に送り出すための給紙ローラ対６３からなる重送防止機構を備える。
【００４２】
カセット給紙部５１と排紙部５０との間には、用紙Ｔを搬送する搬送路５４が形成される。搬送路５４は、カセット給紙部５１から２次転写ローラ８までの第１搬送路５５と、２次転写ローラ８から定着装置９までの第２搬送路５６と、定着装置９から排紙部５０までの第３搬送路５７とを有する。また、定着装置９の出口には、分岐爪５８が設けられており、この分岐爪５８と第１搬送路５５における後述する湾曲路５５ａとの間には、用紙Ｔを第１搬送路５５に戻すための戻し搬送路５９が形成される。
【００４３】
第１搬送路５５は、給紙カセット５２から送り出された用紙Ｔを上方に搬送しつつ搬送方向を図１における左方向にするための湾曲路５５ａと、湾曲路５５ａから２次転写ローラ８までの直線路５５ｂとを有する。第１搬送路５５には、用紙Ｔを案内しながら搬送するガイド板及びローラ対が配置される。また、第１搬送路５５には、用紙Ｔを検出するためのセンサと、用紙Ｔのスキュー（斜め給紙）補正やトナー画像とのタイミングを合わせるためのレジストローラ対８０が配置される。センサは、用紙Ｔの搬送方向におけるレジストローラ対８０の直前（上流側）に配置される。レジストローラ対８０は、センサからの検出信情報に基づいて上述の補正やタイミング調整をして用紙Ｔを搬送する。
【００４４】
第２搬送路５６は、定着装置９側に向かって下方側に傾いた直線状の搬送路である。第２搬送路５６には、用紙Ｔを載置した状態で搬送する搬送ベルト１５６が配置される。また、第２搬送路５６における所定位置には、用紙Ｔを検出するためのセンサが配置される。
【００４５】
第３搬送路５７は、定着装置９の出口から図１における左斜め上方に向かうよう形成される。第３搬送路５７は、分岐爪５８の搬送方向下流側に位置し上方へ向かって形成される縦搬送路５７ａを有して構成される。第３搬送路５７により搬送される用紙Ｔは、分岐爪５８の上面側を通過した後、ほぼ垂直上方に向かって搬送されて排紙部５０から装置本体Ｍの外部に排出される。第３搬送路５７は、他の搬送路と同様に、用紙Ｔを案内しながら搬送するガイド板及びローラ対を有して構成される。
【００４６】
戻し搬送路５９は、分岐爪５８から第３搬送路５７とは反対側の下方に分岐し、垂直下方向に向かう湾曲状の第１戻し搬送路５９ａと、定着装置９、第２搬送路５６、２次転写ローラ８及びレジストローラ対８０の下方を通り、さらに上方に向かうよう形成される第２戻し搬送路５９ｂとを有して構成される。
第１戻し搬送路５９ａは、定着装置９から搬出された用紙Ｔを後述する反転部５００に搬送する。第２戻し搬送路５９ｂは、後述する反転部５００により表裏及び前後反転された用紙Ｔを画像形成部ＧＫに搬送する。
【００４７】
戻し搬送路５９は、定着装置９の出口と第１搬送路５５における湾曲路５５ａとをつなぐように形成される。
戻し搬送路５９は、定着装置９を通過した用紙Ｔを、２次転写ローラ８の上流側に配置されたレジストローラ対８０の上流側に戻すための搬送路である。戻し搬送路５９は、用紙Ｔの両面にトナー画像（文字などを含む）を印刷（印字）する、いわゆる両面印刷（印字）をする場合に用いられる搬送路である。戻し搬送路５９は、他の搬送路と同様に、用紙Ｔを案内しながら搬送するガイド板及びローラ対を有して構成されると共に、所定位置には用紙検出用のセンサが配置される。
【００４８】
反転部５００は、戻し搬送路５９に配置される。具体的には、反転部５００は、第１戻し搬送路５９ａと第２戻し搬送路５９ｂとの間に配置される。
反転部５００は、反転用ローラ対５０５と、位置決め装置５１０と、反転用載置部５５０とを有する。
【００４９】
反転用ローラ対５０５は、正転及び逆転可能なローラ対である。また、反転用ローラ対５０５は、ローラ部材が互いに当接する当接状態と、ローラ部材が互いに離間した離間状態とに変形可能なローラ対である。
反転用ローラ対５０５は、正転することで一方の面に画像が形成された用紙Ｔを第１戻し搬送路５９ａから位置決め装置５１０及び反転用載置部５５０に搬送（搬入）させると共に、逆転することで位置決め装置５１０により位置決めされた用紙Ｔを表裏及び前後反転した状態で第２戻し搬送路５９ｂに搬出する。
【００５０】
反転用ローラ対５０５は、位置決め装置５１０が位置決め動作をしている間、不図示の離間駆動部によりローラ部材が互いに離間するよう移動され、離間状態に変形される。反転用ローラ対５０５は、位置決め装置５１０に用紙Ｔを搬送（搬入）する場合、及び用紙Ｔを第２戻し搬送路５９ｂに搬送（搬出）する場合を含め、通常は当接状態である。
【００５１】
位置決め装置５１０は、用紙Ｔに対し、搬送（搬入）方向に直交する搬送幅方における位置を調整（位置決め）する。位置決め装置５１０は、反転用ローラ対５０５により搬送（搬入）された用紙Ｔにおける搬送幅方向の位置決めを行う。位置決め装置５１０は、該位置決め装置５１０及び反転用載置部５５０に載置された用紙Ｔに対して、搬送幅方向における位置決めを行う。
また、位置決め装置５１０は、反転用ローラ対５０５が離間状態である場合において、位置決め動作を行う。
【００５２】
反転用載置部５５０は、一部が位置決め装置５１０に載置された用紙Ｔにおける他の部分が載置される領域である。反転用載置部５５０は、位置決め装置５１０における載置板５１５及び押上板５１６と実質的に連続して水平方向に延びる平面状の領域である。
【００５３】
装置本体Ｍの図１における右側面であって給紙カセット５２の上方には、手差し給紙部６４が設けられる。手差し給紙部６４は、閉状態において側壁を構成する手差しトレイ６５と、給紙コロ６６とを備える。手差しトレイ６５は、下端が第１搬送路５５の湾曲路５５ａの近傍に回動自在（開閉自在）に取り付けられる。手差し給紙部６４は、開状態の手差しトレイ６５に載置された用紙Ｔを第１搬送路５５の湾曲路５５ａに給紙する。
【００５４】
次に、図２から図６を参照して、本発明の特徴部分について以下に詳しく説明する。
図２は、本発明に係るトナー画像測定装置４００の概略を示す斜視図である。図３は、図２に示すトナー画像測定装置４００のブロック線図である。図４は、図２に示すトナー画像測定装置４００の起動時の動作を説明するフローチャートである。図５は、図２に示すトナー画像測定装置４００の印刷時の動作を説明するフローチャートである。図６は、図５に続くトナー画像測定装置４００の印刷時の動作を説明するフローチャートである。
【００５５】
カラーコピー機１のトナー画像測定装置４００は、印刷モード選択部６００と、複数の感光体ドラム２ａ、２ｂ、２ｃ、２ｄと、カラーの現像器１６ａ、１６ｂ、１６ｃと、黒色の現像器１６ｄと、回転駆動部４１０と、切替部４２０と、切替駆動部４３０と、切替駆動制御部４３５と、中間転写ベルト７と、トナー検知部４４０と、シャッター部４５０と、シャッター駆動機構部４６０と、モード検知部４７０と、を備える。
【００５６】
図３に示すように、印刷モード選択部６００は、カラー印刷ボタン６０１と、白黒印刷ボタン６０２と、自動印刷ボタン６０３とを有する。印刷モード選択部６００は、装置本体Ｍの上側に配置されている（図１参照）。
カラー印刷ボタン６０１、白黒印刷ボタン６０２、自動印刷ボタン６０３それぞれは、利用者が操作するボタンである。カラー印刷ボタン６０１、白黒印刷ボタン６０２、自動印刷ボタン６０３それぞれは、カラーコピー機１を利用する利用者が操作（例えば、押圧操作）できるように、装置本体Ｍに取り付けられている。
カラー印刷ボタン６０１、白黒印刷ボタン６０２、自動印刷ボタン６０３それぞれは、利用者により操作されると、カラー印刷モード選択、黒色印刷モード選択又は自動選択機能選択を示す操作信号Ｓ６０１を、印刷モード設定部６０４に出力する。
【００５７】
カラー印刷ボタン６０１は、用紙（被画像形成媒体）Ｔにカラーの画像を形成させるカラー印刷モードを選択するためのボタンである。白黒印刷ボタン６０２は、用紙Ｔに黒色の画像を形成させる黒色印刷モードを選択するためのボタンである。自動印刷ボタン６０３は、画像読取装置３００から出力されるカラー画像又は白黒画像を示す画像信号Ｓ３００に基づいて、自動的に印刷モードを切り替えて、用紙Ｔにカラー画像又は黒色画像を形成させる自動機能を選択するためのボタンである。
【００５８】
図３に示すように、現像器１６ａ、１６ｂ、１６ｃそれぞれは、カラートナーを収容する。現像器１６ａ、１６ｂ、１６ｃそれぞれは、対応する感光体ドラム２ａ、２ｂ、２ｃの表面に形成された静電潜像にカラーのカラートナー画像を現像するカラーの現像器である。現像器１６ｄは、黒色トナーを収容する。現像器１６ｄは、対応する感光体ドラム２ｄの表面に形成された静電潜像に黒色トナー画像を現像する黒色の現像器である。
【００５９】
図３に示すように、中間転写ベルト７は、エンドレスベルト状の転写ベルトである。中間転写ベルト７の外表面７ａは、感光体ドラム２ａ、２ｂ、２ｃ、２ｄそれぞれの表面に形成されたトナー画像が外表面７ａに転写されるように、感光体ドラム２ａ、２ｂ、２ｃ、２ｄそれぞれに対向するように配置されている。
【００６０】
図３に示すように、回転駆動部４１０は、現像器１６ａ、１６ｂ、１６ｃ、１６ｄを駆動させるための回転駆動力を出力するように構成されている。回転駆動部４１０は、例えば、出力軸を備えたモータである。回転駆動部４１０の出力軸は、後述する伝達経路４１１を介して、現像器１６ａ、１６ｂ、１６ｃ、１６ｄに接続されている。伝達経路４１１は、回転駆動部４１０の出力軸から出力される回転駆動力がカラーの現像器１６ａ、１６ｂ、１６ｃに伝達されるように、歯車や回転軸で構成されている。
【００６１】
図３に示すように、切替部４２０は、装置本体Ｍに取り付けられている。切替部４２０は、伝達経路４１１に配置されている。切替部４２０は、カラー印刷モードのとき、回転駆動部４１０から出力される回転駆動力をカラーの現像器１６ａ、１６ｂ、１６ｃに伝達させる伝達位置に移動したり、黒色印刷モードのとき、回転駆動部４１０から出力される回転駆動力をカラーの現像器１６ａ、１６ｂ、１６ｃに伝達させない非伝達位置に移動したりする。
切替部４２０は、例えば、入力軸、出力軸、及び、入力軸と出力軸とを機械的に結合するために移動する結合部を有するクラッチのような構造のうち、結合部に相当する。
【００６２】
伝達位置とは、回転駆動部４１０から出力される回転駆動力がカラー現像器１６ａ、１６ｂ、１６ｃに伝達するように、回転駆動部４１０から出力される回転駆動力が入力される入力軸と、カラー現像器１６ａ、１６ｂ、１６ｃに出力するための出力軸とが相対的に回転しないように、切替部４２０が入力軸と出力軸とを連結した状態となる切替部４２０の位置をいう。
【００６３】
また、非伝達位置とは、回転駆動部４１０から出力される回転駆動力がカラー現像器１６ａ、１６ｂ、１６ｃに伝達しないように、回転駆動部４１０から出力される回転駆動力が入力される入力軸と、カラー現像器１６ａ、１６ｂ、１６ｃに出力するための出力軸とが相対的に回転するように、切替部４２０が入力軸と出力軸とを非連結した状態となる切替部４２０の位置をいう。
【００６４】
図３に示すように、切替駆動部４３０は、装置本体Ｍに取り付けられている。切替駆動部４３０は、後述する切替駆動制御部４３５から出力される制御信号Ｓ４３５に基づいて、切替部４２０を、カラー印刷モードのとき、回転駆動部４１０から出力される回転駆動力をカラーの現像器１６ａ、１６ｂ、１６ｃに伝達させる伝達位置に移動させたり、黒色印刷モードのとき、回転駆動部４１０から出力される回転駆動力をカラーの現像器１６ａ、１６ｂ、１６ｃに伝達させない非伝達位置に移動させたりする。
【００６５】
図３に示すように、トナー画像測定装置４００は、トナー検知部４４０と、シャッター部４５０と、シャッター駆動機構部４６０と、ＣＰＵ４０２と、メモリ４７４と、を備える。
ＣＰＵ４０２は、印刷モード設定部６０４と、印刷モード一致判定部６０７と、現像駆動制御部４１２と、切替駆動制御部４３５と、モード検知部４７０と、報知部４９０と、を備える。
メモリ４７４は、閾値記憶部４７５を備えている。
【００６６】
図２に示すように、トナー検知部４４０は、装置本体Ｍのフレーム部材（不図示）に取り付けられている。トナー検知部４４０は、中間転写ベルト７の外表面７ａに転写されたトナー画像を検知することができるように、中間転写ベルト７の外表面７ａ側に配置されている。
【００６７】
図３に示すように、トナー検知部４４０は、発光部４４１と受光部４４２とを有するトナー濃度測定センサである。トナー検知部４４０は、中間転写ベルト７の外表面７ａと対向して配置されている。トナー検知部４４０は、中間転写ベルト７の外表面７ａに転写されたトナー画像を検知する。具体的には、発光部４４１は、中間転写ベルト７の外表面７ａに形成されたトナー画像に照射するように発光する。発光部４４１から発せられる光は、中間転写ベルト７の外表面７ａに形成されたトナー画像で反射される。中間転写ベルト７の外表面７ａに形成されたトナー画像によって反射された光は、受光部４４２によって受光される。
【００６８】
そして、トナー検知部４４０は、受光部４４２が受光した光に対応するアナログ電圧を出力するように構成されている。例えば、受光部４４２は、中間転写ベルト７の外表面７ａに形成されたトナー画像で反射された光を受光すると、受光した光の強さに応じたアナログ電圧を出力する。つまり、受光部４４２は、中間転写ベルト７の外表面７ａに形成されたトナー画像で反射された光を受光すると、トナー画像のトナー濃度に応じたアナログ電圧を出力する。
【００６９】
ここで、受光部４４２が光を受光できない場合、受光部４４２は、トナー画像のトナー濃度に応じたアナログ電圧に対して非常に小さいアナログ電圧値を出力するように構成されている。受光部４４２が光を受光できない場合とは、例えば、後述する遮蔽部４５１によって反射された光を受光する場合を挙げることができる。
【００７０】
トナー検知部４４０は、中間転写ベルト７の外表面７ａに形成されたトナー画像が、トナー検知部４４０と中間転写ベルト７との間に位置している間、中間転写ベルト７の外表面７ａから反射される光や、中間転写ベルト７の外表面７ａに形成されたトナー画像から反射される光の強さに対応したアナログ電圧を出力する。トナー検知部４４０は、所定のアナログ電圧値（検知値）を表す検知値信号Ｓ４４０としてモード検知部４７０に出力する。
【００７１】
図２及び図３により示すように、シャッター部４５０は、シャッター本体部４５３と、開口部４５２と、遮蔽部４５１と、ラック部４６４と、検知面清掃部４８２とを備える。
シャッター部４５０は、シャッター本体部４５３の長手方向における一端側に形成される遮蔽部４５１と、長手方向における中央部に形成される開口部４５２とを有する。
また、シャッター部４５０は、シャッター本体部４５３における一方の面側に形成されるラック部４６４と、遮蔽部４５１に連結される検知面清掃部４８２とを備える。
シャッター部４５０は、後述するように、後述する遮蔽位置と、非遮蔽位置とに直線的に往復運動可能に構成される。
【００７２】
図３に示すように、シャッター本体部４５３は、板状部材で形成されている。上述の通り、シャッター本体部４５３には、長手方向における一端側に遮蔽部４５１が形成される。また、シャッター本体部４５３には、長手方向における中央部に開口部４５２が形成される。また、シャッター本体部４５３には、一方の面側にラック部４６４が形成される。
【００７３】
図３に示すように、遮蔽部４５１は、シャッター本体部４５３の長手方向における一端側に形成される。遮蔽部４５１は、トナー検知部４４０と中間転写ベルト７の外表面７ａに転写されたトナー画像との間に配置される部分である。具体的には、遮蔽部４５１は、シャッター部４５０が遮蔽位置に位置した場合、トナー検知部４４０と中間転写ベルト７の外表面７ａに転写されたトナー画像との間に配置されトナー画像の検知（濃度検知）を規制し、シャッター部４５０が非遮蔽位置に位置した場合、トナー検知部４４０と中間転写ベルト７の外表面７ａに転写されたトナー画像との間に配置されずトナー画像の検知（濃度検知）を規制しない部分である。
【００７４】
図３に示すように、開口部４５２は、シャッター本体部４５３の長手方向において中央部に形成される。開口部４５２は、長手方向において遮蔽部４５１と並んで形成される部分である。開口部４５２は、シャッター本体部４５３の一側縁側を切り欠くようにして形成された部分である。
開口部４５２は、シャッター部４５０が非遮蔽位置に位置した場合、トナー検知部４４０と中間転写ベルト７の外表面７ａに転写されたトナー画像との間に配置される。開口部４５２は、シャッター部４５０が非遮蔽位置に位置した場合、トナー検知部４４０と中間転写ベルト７の外表面７ａに転写されたトナー画像との間に配置され、発光部４４１から発光された光を遮らず、トナー画像などから反射した反射光を遮らない部分である。
【００７５】
図３に示すように、ラック部４６４は、シャッター本体部４５３における一方の面側に形成される。ラック部４６４は、シャッター本体部４５３の長手方向において開口部４５２に対して遮蔽部４５１とは反対側に形成されている。ラック部４６４は、後述するシャッター駆動機構部４６０の歯車４６１に噛み合うように構成されている。ラック部４６４は、ラック部４６４（シャッター部４５０）が歯車４６１の回転により直動的な往復移動を行えるように、直動可能に装置本体Ｍに支持されている。これにより、シャッター部４５０は、シャッター部４５０が遮蔽部４５１が遮蔽位置と非遮蔽位置との間の往復移動ができるように、構成されている。
【００７６】
図３に示すように、検知面清掃部４８２は、遮蔽部４５１に連結される。検知面清掃部４８２は、シャッター部４５０（遮蔽部４５１）において中間転写ベルト７の外表面７ａに形成されたトナー画像と反対側（後述する発光部４４１が配置されている側）に連結されている。検知面清掃部４８２は、シャッター部４５０が遮蔽位置に位置するときは、トナー検知部４４０において中間転写ベルト７の外表面７ａに対向する発光部４４１の検知面４４１ａ及び受光部４４２の検知面４４２ａに当接する。検知面清掃部４８２は、シャッター部４５０が非遮蔽位置に位置するときは、発光部４４１の検知面４４１ａ及び受光部４４２の検知面４４２ａには当接しない。
【００７７】
検知面清掃部４８２は、トナー検知部４４０の検知面に付着した汚れを取り除くことができるように、シャッター部４５０に取り付けられている。具体的には、検知面清掃部４８２は、シャッター部４５０が遮蔽位置と非遮蔽位置とに往復移動することで、検知面に摺接して、該検知面に付着したホコリなどを除去可能に、遮蔽部４５１に連結される。
【００７８】
図３に示すように、シャッター駆動機構部４６０は、歯車４６１と、歯車４６２と、シャフト４６３と、傘歯車４６６と、傘歯車４６９と、シャフト４６８とを備える。
歯車４６１、歯車４６２、シャフト４６３、傘歯車４６６、傘歯車４６９、シャフト４６８それぞれは、装置本体Ｍに回転可能に支持されている。シャフト４６８は、切替駆動部４３０の出力軸に連結されている。したがって、切替駆動部４３０が作動すると、シャフト４６８が回転し、シャフト４６８の回転に応じて、傘歯車４６９、傘歯車４６６、シャフト４６３、歯車４６２を介して歯車４６１が回転する。歯車４６１が回転すると、ラック部４６４を介してシャッター本体部４５３が矢印Ｙの方向に直線的な移動をする。これにより、遮蔽部４５１は、カラー印刷モードのとき、非遮断位置に位置し、黒色印刷モードのとき、遮断位置に位置する。
【００７９】
シャッター駆動機構部４６０は、切替駆動部４３０の出力軸から出力される回転駆動力によって作動するように構成されている。つまり、切替駆動部４３０の出力軸から出力される回転駆動力は、切替部４２０を作動させると共に、シャッター部４５０を、カラー印刷モードのとき、非遮断位置に位置（移動）させ、黒色印刷モードのとき、遮断位置に位置（移動）させる。
【００８０】
シャッター駆動機構部４６０は、カラー印刷モードのとき、遮蔽部４５１を非遮断位置に移動させるように構成されている。換言すると、カラー印刷モードのとき、開口部４５２をトナー検知部４４０と中間転写ベルト７の外表面７ａに転写されたトナー画像との間の位置に移動させるように構成されている。
シャッター駆動機構部４６０は、黒色印刷モードのとき、遮蔽部４５１を遮断位置に移動させるように構成されている。具体的には、シャッター駆動機構部４６０は、黒色印刷モードのとき、遮蔽部４５１をトナー検知部４４０と中間転写ベルト７の外表面７ａに転写されたトナー画像との間の位置に移動させるように構成されている。
【００８１】
シャッター駆動機構部４６０は、後述するように、印刷モード設定部６０４が印刷モードをカラー印刷モードに設定している場合、切替駆動部４３０の出力軸から出力される回転駆動力によって、遮蔽部４５１を非遮断位置に移動させる。
シャッター駆動機構部４６０は、後述するように、印刷モード設定部６０４が黒色印刷モードと判断している場合、切替駆動部４３０の出力軸から出力される回転駆動力によって、遮蔽部４５１を、トナー検知部４４０と中間転写ベルト７の外表面７ａに転写されたトナー画像との間に遮蔽部４５１が配置されない遮断位置に移動させる。
【００８２】
したがって、遮蔽部４５１が非遮断位置に維持しているとき、切替部４２０は伝達位置に維持している。また、遮蔽部４５１が遮断位置に移動しているとき、切替部４２０は非伝達位置に移動している。
【００８３】
現像駆動制御部４１２は、回転駆動部４１０を作動させるための制御信号Ｓ４１２を回転駆動部４１０に出力する。制御信号Ｓ４１２を受信した回転駆動部４１０は、現像器１６ａ、１６ｂ、１６ｃ、１６ｄを駆動させるための回転駆動力を出力する。
【００８４】
印刷モード設定部６０４は、カラー印刷モード選択、黒色印刷モード選択又は自動選択機能選択を示す操作信号Ｓ６０１に基づいて、用紙Ｔにカラー又は黒色の画像を形成させるカラー印刷モード又は黒色印刷モードかを設定する。
具体的には、印刷モード設定部６０４は、自動選択機能選択を示す操作信号Ｓ６０１を受信している場合、画像読取装置３００から出力されるカラー画像又は白黒画像を示す画像信号Ｓ３００に基づいて、カラー印刷モード又は黒色印刷モードを設定する。
また、印刷モード設定部６０４は、カラー印刷モード選択、黒色印刷モード選択を示す操作信号Ｓ６０１を受信している場合、カラー印刷モード選択、黒色印刷モード選択を示す操作信号Ｓ６０１に応じて、カラー印刷モード又は黒色印刷モードを設定する。
【００８５】
切替駆動制御部４３５は、印刷モード設定部６０４によって設定されたカラー印刷モード又は黒色印刷モードに基づいて、切替部４２０を回転駆動部４１０から出力される回転駆動力をカラーの現像器１６ａ、１６ｂ、１６ｃに伝達させる伝達位置又は回転駆動部４１０から出力される回転駆動力をカラーの現像器１６ａ、１６ｂ、１６ｃに伝達させない非伝達位置に移動（位置）させるための制御信号Ｓ４３５を切替駆動部４３０に出力する。
【００８６】
閾値記憶部４７５は、例えば、カラー印刷モードにおいて、トナー検知部４４０が中間転写ベルト７の外表面７ａに形成されたトナー画像のトナー濃度を適切に測定した場合に得られる検知値と、トナー検知部４４０がシャッター部４５０の遮蔽部４５１を測定した場合に得られる検知値との間の値を閾値として、予め、記憶している。
【００８７】
モード検知部４７０は、トナー検知部４４０により出力された検知値と、閾値記憶部４７５に記憶された閾値情報により特定される閾値とを比較すると共に、検知値が閾値以上である場合には、印刷モードがカラー印刷モード又は黒色印刷モードのうち一方であることを検知し、検知値が閾値未満である場合には、印刷モードがカラー印刷モード又は黒色印刷モードのうち他方であることを検知する。
【００８８】
具体的には、モード検知部４７０は、検知の結果に基づいて、中間転写ベルト７の外表面７ａに形成されたトナー画像と、発光部４４１との間にあるトナー画像から反射される光から得られるアナログ電圧値を検知値として取得する。モード検知部４７０は、取得された検知値（アナログ電圧値に応じた値）に基づいて中間転写ベルト７の外表面７ａに形成されたトナー画像のトナー濃度を算出する。
【００８９】
そして、モード検知部４７０は、取得された検知値と、メモリ４７４の閾値記憶部４７５に記憶されている閾値とを比較する。モード検知部４７０は、検知値が閾値を越えていると判断した場合、切替部４２０が伝達位置に維持していることになるので、カラー印刷モードと判定する。モード検知部４７０は、検知値が閾値を越えていないと判断した場合、切替部４２０が非伝達位置に移動していることになるので、黒色印刷モードと判定する。
【００９０】
印刷モード一致判定部６０７（判断部）は、印刷モード設定部６０４により設定された印刷モードと、モード検知部４７０により検知された印刷モードとが一致するか否かを判断する。
【００９１】
具体的には、印刷モード設定部６０４の設定がカラー印刷モードであり、かつ、モード検知部４７０の判断がカラー画像であるとき、印刷モード設定部６０４の設定とモード検知部４７０の判断とが一致していると判定する。
また、印刷モード一致判定部６０７は、印刷モード設定部６０４の設定が黒色印刷モードであり、かつ、モード検知部４７０の判断が黒色画像であるとき、印刷モード設定部６０４の設定とモード検知部４７０の判断とが一致していると判定する。
【００９２】
また、印刷モード一致判定部６０７は、印刷モード設定部６０４の設定がカラー印刷モードであり、かつ、モード検知部４７０の判断が黒色画像であるとき、印刷モード設定部６０４の設定とモード検知部４７０の判断とは不一致であると判定する。
また、印刷モード一致判定部６０７は、印刷モード設定部６０４の設定が黒色印刷モードであり、かつ、モード検知部４７０の判断がカラー画像であるとき、印刷モード設定部６０４の設定とモード検知部４７０の判断とは不一致であると判定する。
【００９３】
報知部４９０は、印刷モード一致判定部６０７が不一致と判定したことを報知する。具体的には、報知部４９０は、印刷モード設定部６０４により設定された印刷モードと、モード検知部４７０により検知された印刷モードとが一致しないと判定された場合、所定の報知を行う。報知部４９０が行う所定の報知は、例えば、ブザー音を発したり、警告を示す赤色を発光したりする。
【００９４】
以下に、カラーコピー機１における動作の一例を説明する。
まず、図４により、カラーコピー機１の電源投入時におけるイニシャル動作について説明する。
図４に示すように、まず、ステップＳＴ１０において、ＣＰＵ４０２の印刷モード設定部６０４は、電源投入の信号を受信すると、切替駆動部４３０に印刷モードがカラー印刷モードであることを示す信号を出力する。つまり、印刷モード設定部６０４は、初期状態において、印刷モードをカラーモードに設定する。
【００９５】
次に、ステップＳＴ１１において、カラー印刷モードを示す信号を受信した切替駆動制御部４３５は、切替駆動部４３０に対して、回転駆動部４１０から出力される回転駆動力がカラーの現像器１６ａ、１６ｂ、１６ｃに伝達されるように、切替部４２０を伝達位置に位置（移動）させるよう所定の制御信号を出力する。制御信号を受信した切替駆動部４３０は、切替部４２０を伝達位置に位置させる。これにより、回転駆動部４１０から出力される回転駆動力は、カラーの現像器１６ａ、１６ｂ、１６ｃに伝達される。
【００９６】
また、ステップＳＴ１２において、切替駆動部４３０は、同時に、シャッター駆動機構部４６０を介して、シャッター部４５０を非遮断位置に移動させる。換言すると、切替駆動部４３０は、開口部４５２の位置が中間転写ベルト７の外表面７ａに形成されたトナー画像と発光部４４１との間に移動するように、シャッター駆動機構部４６０を駆動させる。これにより、トナー検知部４４０は、中間転写ベルト７の外表面７ａに形成されたトナー画像を検知することができる状態になる。そして、ＣＰＵ４０２は、電源投入時の立ち上げ処理を終了する。
【００９７】
続けて、図５及び図６により、カラーコピー機１が画像形成指示を受けた場合における動作を説明する。
まず、利用者は、画像読取装置３００に原稿を配置して、印刷モード選択部６００における所定の選択ボタンを押圧操作すると共に、不図示のスタートボタンを押圧操作して、画像形成を指示する。
これにより、図５に示すように、まず、ステップＳＴ２０において、画像形成の指示を受けた現像駆動制御部４１２は、回転駆動部４１０を駆動させる。
【００９８】
次に、ステップＳＴ２１において、ＣＰＵ４０２の印刷モード設定部６０４は、印刷モード選択部６００から受信した操作信号Ｓ６０１の種類に基づいて、印刷モードを設定する。そして、印刷モード設定部６０４は、選択された印刷モードを示す操作信号Ｓ６０１を切替駆動制御部４３５に出力する。
【００９９】
具体的には、ＣＰＵ４０２の印刷モード設定部６０４は、カラー印刷ボタン６０１、白黒印刷ボタン６０２、印刷モード設定部６０４は、カラー印刷ボタン６０１、白黒印刷ボタン６０２、自動印刷ボタン６０３から出力されるカラー印刷モード選択、黒色印刷モード選択、自動選択機能選択を示す操作信号Ｓ６０１、及び、画像読取装置３００から出力されるカラー画像又は白黒画像を示す画像信号Ｓ３００に基づいて、用紙Ｔにカラー又は黒色の画像を形成させるカラー印刷モード又は黒色印刷モードを設定する。
【０１００】
まず、印刷モード設定部６０４は、印刷モード設定部６０４が自動選択機能選択を示す操作信号Ｓ６０１を受信している場合、画像読取装置３００から出力されるカラー画像又は白黒画像を示す画像信号Ｓ３００に基づいて、カラー印刷モード又は黒色印刷モードを設定する。
また、印刷モード設定部６０４は、印刷モード設定部６０４がカラー又は白黒を示す操作信号Ｓ６０１を受信している場合、カラー又は白黒を示す操作信号Ｓ６０１に応じて、カラー印刷モード又は黒色印刷モードを印刷モード設定部６０４に設定する。
【０１０１】
次に、ステップＳＴ２２において、切替駆動制御部４３５は、印刷モード設定部６０４より受信した印刷モード設定信号に基づいて、設定された印刷モードがカラー印刷モードであるかを判定する。
印刷モードがカラー印刷モードであると判定した場合（ＳＴ２２、ＹＥＳ）、処理は、ステップＳＴ２３に進む。
また、印刷モードがカラー印刷モードでないと判定した場合（ＳＴ２２、ＮＯ）、処理は、ステップＳＴ２５に進む。
【０１０２】
次に、ステップＳＴ２３において、切替駆動制御部４３５は、切替駆動部４３０に対して、切替部４２０を伝達位置に位置するよう指示する所定の制御信号を出力する。制御信号を受信した切替駆動部４３０は、切替部４２０を伝達位置に位置させる。
ここで、切替部４２０が伝達位置に位置している場合（例えば、初期状態）、切替駆動部４３０は駆動されず、切替部４２０は、伝達位置で維持される。また、切替部４２０が非伝達位置に位置している場合、切替駆動部４３０は駆動され、切替部４２０は、非伝達位置から伝達位置に移動される。これにより、回転駆動部４１０から出力される回転駆動力はカラーの現像器１６ａ、１６ｂ、１６ｃに伝達される。
【０１０３】
次に、ステップＳＴ２３の処理がされると同時に、ステップＳＴ２４において、切替駆動部４３０は、シャッター駆動機構部４６０を作動させ、シャッター部４５０を非遮断位置に位置させる。
ここで、シャッター部４５０が非遮蔽位置に位置している場合（例えば、初期状態）、切替駆動部４３０は駆動されず、シャッター部４５０は、非遮蔽位置で維持される。また、シャッター部４５０が遮蔽位置に位置している場合、切替駆動部４３０は駆動され、シャッター部４５０は、遮蔽位置から非遮蔽位置に移動される。
これにより、トナー検知部４４０は、中間転写ベルト７の外表面７ａに形成されたトナー画像のトナー濃度を検知することができる状態（トナー濃度検知可能状態）になる。
【０１０４】
次に、ステップＳＴ２５において、切替駆動制御部４３５は、切替駆動部４３０に対して、切替部４２０を非伝達位置に位置するよう指示する所定の制御信号を出力する。制御信号を受信した切替駆動部４３０は、切替部４２０を非伝達位置に位置させる。
ここで、切替部４２０が非伝達位置に位置している場合、切替駆動部４３０は駆動されず、切替部４２０は、非伝達位置で維持される。また、切替部４２０が伝達位置に位置している場合、切替駆動部４３０は駆動され、切替部４２０は、伝達位置から非伝達位置に移動される。これにより、回転駆動部４１０から出力される回転駆動力はカラーの現像器１６ａ、１６ｂ、１６ｃに伝達されなくなる。
【０１０５】
次に、ステップＳＴ２５の処理がされると同時に、ステップＳＴ２６において、切替駆動部４３０は、シャッター駆動機構部４６０を作動させ、シャッター部４５０を遮断位置に位置させる。
ここで、シャッター部４５０が遮蔽位置に位置している場合、切替駆動部４３０は駆動されず、シャッター部４５０は、遮蔽位置で維持される。また、シャッター部４５０が非遮蔽位置に位置している場合、切替駆動部４３０は駆動され、シャッター部４５０は、非遮蔽位置から遮蔽位置に移動される。
これにより、トナー検知部４４０は、中間転写ベルト７の外表面７ａに形成されたトナー画像のトナー濃度を検知することができない状態（トナー濃度検知不可能状態）になる。
【０１０６】
次に、ステップＳＴ２７において、トナー検知部４４０は、現像器１６ａ、１６ｂ、１６ｃと現像器１６ｄとによって中間転写ベルト７の外表面７ａに形成されたトナー画像のトナー濃度を検知する。
具体的には、トナー検知部４４０は、中間転写ベルト７の外表面７ａに形成されたトナー画像を検知するために、発光部４４１から光を発する。このとき、カラー印刷モードであれば、シャッター部４５０が非遮蔽位置に位置するので、中間転写ベルト７の外表面７ａに形成されたトナー画像と発光部４４１との間には、開口部４５２が位置している。このため、発光部４４１によって発せられた光は、中間転写ベルト７の外表面７ａに形成されたトナー画像（及び中間転写ベルト７の外表面７ａ）に照射される。また、このとき、黒色印刷モードであれば、シャッター部４５０が遮断位置に位置するので、中間転写ベルト７の外表面７ａに形成されたトナー画像と発光部４４１との間には、遮蔽部４５１が位置している（シャッター部４５０が遮蔽位置に移動している）ので、発光部４４１によって発せられた光は、中間転写ベルト７の外表面７ａに形成されたトナー画像には照射されない。
【０１０７】
そして、受光部４４２は、発光部４４１から発せられた光であって、トナー画像や中間転写ベルト７の外表面７ａにより反射された光（反射光）を受光する。ここで、受光部４４２は、シャッター部４５０が非遮蔽位置に位置する場合に、反射光を受光する。
トナー検知部４４０は、中間転写ベルト７の外表面７ａから反射される光や、中間転写ベルト７の外表面７ａに形成されたトナー画像から反射される光である反射光の強さに対応する強さの電圧（アナログ電圧値を示す検知値信号Ｓ４４０）を出力する。
【０１０８】
次に、ステップＳＴ２８において、ＣＰＵ４０２のモード検知部４７０は、トナー検知部４４０から出力された電圧の値（アナログ電圧値を示す検知値信号Ｓ４４０）に基づいて、印刷モードがカラー印刷モードであるか、黒色印刷モードであるかを検知する。具体的には、モード検知部４７０は、取得された電圧値（検知値）と、メモリ４７４の閾値記憶部４７５に記憶されている閾値とを比較する。モード検知部４７０は、電圧値（検知値）が閾値を以上であると判断した場合、印刷モードがカラー印刷モードである判定する。モード検知部４７０は、電圧値（検知値）が閾値未満であると判断した場合、印刷モードが黒色印刷モードであると判定する。そして、ＣＰＵ４０２は、処理をステップＳＴ２９に移す。
【０１０９】
次に、ステップＳＴ２９において、ＣＰＵ４０２の印刷モード一致判定部６０７は、印刷モード設定部６０４により設定された印刷モードと、モード検知部４７０により検知された印刷モードとが一致するか否かを判断する。
具体的には、印刷モード一致判定部６０７は、印刷モード設定部６０４により設定された印刷モードがカラー印刷モードであり、かつ、モード検知部４７０により判断された印刷モードがカラー印刷モードであるとき、一致していると判定（判断）する。
【０１１０】
また、印刷モード一致判定部６０７は、印刷モード設定部６０４により設定された印刷モードが黒色印刷モードであり、かつ、モード検知部４７０により判断された印刷モードが黒色印刷モードであるとき、一致していると判定（判断）する。
また、印刷モード一致判定部６０７は、印刷モード設定部６０４により設定された印刷モードがカラー印刷モードであり、かつ、モード検知部４７０により判断された印刷モードが黒色印刷モードであるとき、不一致（一致していない）と判定（判断）する。
また、印刷モード一致判定部６０７は、印刷モード設定部６０４により設定された印刷モードが黒色印刷モードであり、かつ、モード検知部４７０により判断された印刷モードがカラー印刷モードであるとき、不一致（一致していない）と判定（判断）する。
【０１１１】
次に、ステップＳＴ３０において、ＣＰＵ４０２の報知部４９０は、印刷モード一致判定部６０７が不一致と判定した場合、所定の報知を行う。報知部４９０は、例えば、ブザー音を発したり、警告を示す赤色を発光したりする。そして、ＣＰＵ４０２は、処理を終了する。
【０１１２】
次に、ステップＳＴ３１において、ＣＰＵ４０２は、次の印刷処理があるか否かを判断する。ＣＰＵ４０２は、次の印刷処理があると判断した場合（ＹＥＳ）、処理をステップＳＴ２１に移す。ＣＰＵ４０２は、次の印刷処理がないと判断した場合（ＮＯ）、処理を終了する。
【０１１３】
以上のカラーコピー機１は、以下の効果を奏する。
カラーコピー機（画像形成装置）１は、用紙（被画像形成媒体）Ｔにカラー画像を形成するカラー印刷モード及び用紙（被画像形成媒体）Ｔに黒色画像を形成する黒色印刷モードに遷移可能であり、それぞれの表面に静電潜像が形成される複数の感光体ドラム（像担持体）２ａ、２ｂ、２ｃ、２ｄと、感光体ドラム（像担持体）２ａ、２ｂ、２ｃの表面に形成された静電潜像にカラーのトナー画像を現像する１以上のカラーの現像器１６ａ、１６ｂ、１６ｃと、感光体ドラム（像担持体）２ｄの表面に形成された静電潜像に黒色トナー画像を現像する黒色の現像器１６ｄと、１以上のカラーの現像器１６ａ、１６ｂ、１６ｃ及び黒色の現像器１６ｄそれぞれを駆動させるための回転駆動力を出力する回転駆動部４１０と、回転駆動部４１０から出力される回転駆動力を１以上のカラーの現像器１６ａ、１６ｂ、１６ｃに伝達させる伝達位置と、回転駆動部４１０から出力される回転駆動力を１以上のカラーの現像器１６ａ、１６ｂ、１６ｃに伝達させない非伝達位置とに移動可能に構成される切替部４２０と、切替部４２０を伝達位置と非伝達位置とに移動させる切替駆動部４３０と、用紙（被画像形成媒体）Ｔにカラー画像を形成させるカラー印刷モードが選択されている場合には切替部４２０を伝達位置に位置させ、用紙（被画像形成媒体）Ｔに白黒画像を形成させる黒色印刷モードが選択されている場合には切替部４２０を非伝達位置に位置させるよう切替駆動部４３０を制御する切替駆動制御部４３５と、中間転写ベルト７の外表面７ａに転写されたトナー画像を検知するトナー検知部４４０と、遮蔽部４５１がトナー検知部４４０と中間転写ベルト７における外表面７ａとの間に配置され外表面７ａに形成されたトナー画像の検知を規制するよう遮蔽する遮蔽位置と、遮蔽部４５１がトナー検知部４４０と中間転写ベルトにおける外表面７ａとの間に配置されず外表面７ａに形成されたトナー画像の検知を規制しない非遮蔽位置とに移動可能なシャッター部４５０と、切替部４２０が伝達位置に位置する場合にシャッター部４５０を非遮蔽位置に位置させ、切替部４２０が非伝達位置に位置する場合にシャッター部４５０を遮蔽位置に位置させるシャッター駆動機構部４６０と、トナー検知部４４０による検知結果に基づいて、カラー印刷モード又は黒色印刷モードのいずれが設定されているかを検知するモード検知部４７０と、を備える。
【０１１４】
上述のカラーコピー機１によれば、印刷モード一致判定部６０７は、印刷モード設定部６０４によって設定されたカラー印刷モード又は黒色印刷モードと、トナー検知部４４０が検出した検知値とに基づいて、カラー印刷モード又は黒色印刷モードに応じて、切替部４２０が、伝達位置に維持しているか又は非伝達位置に移動しているかの判断を行うことができる。
このため、カラーコピー機１には、切替部４２０の移動が正しく行えたか否かの判断のみを行う新たに専用の検知部材（例えば、離間センサ）を配置する必要がない。したがって、カラーコピー機１は、部品点数を削減しつつ、黒色印刷モードとカラー印刷モードとの切り替えが正常に行われたか否かを容易に判断することができる。
【０１１５】
カラーコピー機１は、所定の閾値に関する閾値情報を記憶する閾値記憶部４７５と、を備える。トナー検知部４４０は、検知結果として所定の検知値を出力する。モード検知部４７０は、トナー検知部４４０により出力された検知値と、閾値記憶部４７５に記憶された閾値情報により特定される閾値とを比較すると共に、検知値が閾値以上である場合には、印刷モードがカラー印刷モード又は黒色印刷モードのうち一方であることを検知し、検知値が閾値未満である場合には、印刷モードがカラー印刷モード又は黒色印刷モードのうち他方であることを検知する。
このため、モード検知部４７０は、検知値と閾値とを比較するだけで、印刷モードがカラー印刷モードか黒色印刷モードかを判断することができる。
【０１１６】
カラーコピー機１は、印刷モードを設定する印刷モード設定部６０４と、印刷モード設定部６０４により設定された印刷モードと、モード検知部４７０により検知された印刷モードとが一致するか否かを判断する印刷モード一致判定部６０７と、印刷モード一致判定部６０７により、印刷モード設定部６０４により設定された印刷モードと、モード検知部４７０により検知された印刷モードとが一致しないと判定された場合、所定の報知を行う報知部４９０と、を備える。
【０１１７】
このため、カラーコピー機１は、印刷モード設定部６０４により設定された印刷モードと、モード検知部４７０により検知された印刷モードとが一致していないことを報知する。
また、利用者が印刷モード選択部６００を操作することにより選択された印刷モードが印刷モード設定部６０４に設定されているので、カラーコピー機１は、モード検知部４７０により検知された印刷モードが印刷モード設定部６０４（利用者）により設定された印刷モードとは異なることを報知する。
また、カラーコピー機１は、切替部４２０の移動が正しく行えたか否かの判断を利用者に報知することができる。
【０１１８】
カラーコピー機１は、シャッター部４５０に連結された検知面清掃部４８２を備える。検知面清掃部４８２は、シャッター部４５０が遮蔽位置に位置するときは、トナー検知部４４０における外表面７ａに対向する検知面４４１ａ、４４２ａに当接し、かつ、シャッター部４５０が非遮蔽位置に位置するときは、検知面４４１ａ、４４２ａには当接しない検知面清掃部４８２を備える。
このため、シャッター部４５０が遮蔽位置と非遮蔽位置との間を移動すると、検知面清掃部４８２がトナー検知部４４０の検知面４４１ａ、４４２ａに当接したり当接しなかったりするので、汚れが、検知面４４１ａ、４４２ａに付着しにくくなる。
さらに、シャッター部４５０が遮蔽位置と非遮蔽位置との間を移動すると、検知面清掃部４８２がトナー検知部４４０の検知面４４１ａ、４４２ａに当接するときがあるので、トナー検知部４４０の検知面４４１ａ、４４２ａに付着したゴミなどは、検知面清掃部４８２に接触して、トナー検知部４４０の検知面４４１ａ、４４２ａから除去される。
【０１１９】
シャッター部４５０は、シャッター部４５０が遮蔽位置と非遮蔽位置とに直線的に往復移動するようシャッター駆動機構部４６０により駆動される。検知面清掃部４８２は、検知面４４１ａ、４４２ａに摺接される。このため、検知面清掃部４８２は、検知面４４１ａ、４４２ａに摺接しながら、直線的に往復運動をするので、トナー検知部４４０の検知面４４１ａ、４４２ａは汚れにくくなる。
さらに、検知面清掃部４８２は、検知面４４１ａ、４４２ａに摺接しながら、直線的に往復運動をするので、トナー検知部４４０の検知面４４１ａ、４４２ａに付着したゴミなどは、検知面清掃部４８２に接触して、トナー検知部４４０の検知面４４１ａ、４４２ａから除去される。
【０１２０】
以上、好適な実施形態についてのカラーコピー機１の説明をしたが、本発明は前述した実施形態に限定されることなく、種々の形態で実施することができる。
例えば、本実施形態において、間接転写タイプのカラーコピー機として説明したが、直接転写タイプのカラーコピー機であってもよい。この場合、カラーコピー機は、複数の像担持体それぞれの表面に形成されたトナー画像を用紙（被画像形成媒体）の外表面に転写させる転写部を備える。トナー検知部は、被画像形成媒体の外表面と対向して配置され、被画像形成媒体の外表面に転写されたトナー画像を検知する。シャッター部は、遮蔽部がトナー検知部と被画像形成媒体における外表面との間に配置され被画像形成媒体の外表面に形成されたトナー画像の検知を規制するよう遮蔽する遮蔽位置と、遮蔽部がトナー検知部と被画像形成媒体における外表面との間に配置されず被画像形成媒体の外表面に形成されたトナー画像の検知を規制しない非遮蔽位置とに移動することができるように構成される。
この場合においても、上述の実施形態のカラーコピー機１と同様の作用効果を奏する。
【０１２１】
また、被画像形成媒体は、用紙として説明したが、これに限定されない。例えば、シート状の被転写材、例えば、フィルムシートであってもよい。
【０１２２】
また、本実施形態において、画像形成装置としてカラーコピー機について説明しているが、これに限定されず、画像形成装置は、モノクロコピー機、カラープリンタ、モノクロプリンタ、ファクシミリ又はこれらの複合機などであってもよい。
【符号の説明】
【０１２３】
１……カラーコピー機（画像形成装置）、２ａ、２ｂ、２ｃ……カラーの感光体ドラム（像担持体）、２ｄ……黒色の感光体ドラム（像担持体）、７……中間転写ベルト、７ａ……中間転写ベルトの外表面、１６ａ、１６ｂ、１６ｃ……カラーの現像器（現像器）、１６ｄ……黒色の現像器（現像器）、４００……トナー画像測定装置、４０２……ＣＰＵ、４１０……回転駆動部、４１１……伝達経路、４１２……現像駆動制御部、４２０……切替部、４３０……切替駆動部、４３５……切替駆動制御部、４４０……トナー検知部、４４１……発光部、４４１ａ……発光部の検知面、４４２……受光部、４４２ａ……受光部の検知面、４４８……トナー濃度算出部、４５０……シャッター部、４５１……遮蔽部、４５２……開口部、４５３……シャッター本体部、４６０……シャッター駆動機構部、４７０……モード検知部、４７５……閾値記憶部、４８０……検知判断部、４８２……検知面清掃部、４９０……報知部、６００……印刷モード選択部、６０１……カラー印刷ボタン、６０２……白黒印刷ボタン、６０３……自動印刷ボタン、６０４……印刷モード設定部、６０７……印刷モード一致判定部、Ｔ……用紙（被画像形成媒体）
【図１】
0005401496.tif 000002
【図２】
0005401496.tif 000003
【図３】
0005401496.tif 000004
【図４】
0005401496.tif 000005
【図５】
0005401496.tif 000006
【図６】
0005401496.tif 000007